(57)【要約】      （修正有）【課題】格納ケースに着脱可能に取り付けられる封止体及び該封止体が取り付けられた格納ケースを提供する。【解決手段】封止体１０は、細長い平板部と該平板部両側部に形成された側板部とからなる本体と、前記本体の各端部に形成され、該端部から突出する突出部とを含む。格納ケース５０は、矩形の底板と第１の側壁部３４および第２の側壁部３６とからなる透明なケース本体３０と、該ケース本体３０に枢動可能に連結され、矩形の上板部４２と第３の側壁部４４とからなる透明な蓋４０と、前記ケース本体３０に着脱可能に取り付けられる封止体１０とを含む。【選択図】図２
0003152386.tif 000002
【実用新案登録請求の範囲】
【請求項１】
透明なケース本体と該ケース本体に枢動可能に連結された透明な蓋とからなる格納ケースに着脱可能に取り付けられる格納ケースの封止体であって、
細長い平板部と該平板部の両側部に形成された側板部とからなる本体と、
前記本体の各端部に形成され、該端部から突出する突出部とを含む、封止体。
【請求項２】
矩形の底板と該底板の相対する両側部の一方に形成された第１の側壁部および前記両側部の他方に形成された第２の側壁部とからなる透明なケース本体と、
前記ケース本体に枢動可能に連結され、矩形の上板部と該上板部の前後方向に延びている、相対する両側部に形成された第３の側壁部とからなる透明な蓋と、
前記ケース本体に着脱可能に取り付けられる封止体であって、細長い平板部と前記平板部の両側部に形成された側板部とからなる本体と、該本体の各端部に形成され、該端部から突出する突出部とを有する封止体とを含み、
前記第３の側壁部は前記上板部の後端をこえて延びる端部と、該端部に形成された対向するピンとを有し、
各第２の側壁部は後端に穴を有し、
前記ピンは前記穴に嵌合され、
前記封止体は、前記第３の側壁部の端部と、前記上板部の後端と、該後端に相対する前記第１の側壁部とから規定された開口に取り付けられている、格納ケース。
【考案の詳細な説明】
【技術分野】
【０００１】
本考案は、紙手工芸品や写真を格納するケースに関し、特にコンパクトディスクを格納する透明プラスチック製ケースを格納ケースに用いる場合に使用する封止体および封止体が取り付けられた格納ケースに関する。
【背景技術】
【０００２】
前記紙手工芸品には、板材又は紙材の基板上に図形の形状及び模様を重ね合わせ、立体的又は平面的に形成した作品がある（特許文献１）。
【０００３】
このような作品を制作後にそのままの状態で保存したとき、作品にほこりが付着し、作品の見栄えを悪くする。これを防ぐためには作品をケースに格納することが必要であるが、格納ケースは高価なものが多い。このため、廉価な格納ケースが望まれる。
【０００４】
一方で、音楽用などのコンパクトディスク（ＣＤ）を格納する透明なプラスチックケース、すなわちＣＤケースがある（特許文献２）。
【０００５】
このＣＤケースは、規格品であるため、大量に生産され、廉価に入手することができる。このため、ＣＤケースは音楽用ＣＤを格納するだけでなく、他の用途にも使用されている。他の用途の一例として、ＣＤケースを絵画などの額縁に利用した例がある（特許文献３）。
【０００６】
しかし、ＣＤケースは、音楽ＣＤを格納するためのトレイを有するため、ＣＤケース内に作品を格納できる内部空間が限られており、厚みのある作品を格納できない。そのため、ＣＤケースからトレイを取り外すことにより初めて、ＣＤケース内に作品を格納できる内部空間を確保することができる。
【０００７】
トレイを取り外した後のＣＤケースすなわち格納ケースは、内部に立体的又は平面的な手工芸品、写真、メッセージカードなどの作品を格納することができるため、作品をケースに格納した状態で鑑賞できるだけでなく、他者への贈答や販売にも供し得る。
【０００８】
図８を参照するに、一般に、ＣＤケースは、ケース本体３０と蓋４０とトレイ（図示せず）とを備え、浅い箱状のケース本体３０に対して蓋４０を枢動させてケース本体３０を開閉する。蓋４０は、矩形の上板部４２と該上板部の前後方向（図８における左方を前方、右方を後方とする。）に延びている、相対する２辺に形成された側壁部４４を有する。側壁部４４は、上板部４２の後端４３をこえて延びる端部４６を有し、該端部にはピン４８が形成されている。ケース本体３０には穴３８が設けられており、該穴３８にピン４８を嵌めることにより、蓋４０をケース本体３０に連結する。ケース本体３０には、ＣＤを格納するためのトレイ（図示せず）が連結されている。
【０００９】
しかし、ＣＤケースを格納ケース５０として使用するために、ＣＤケースから前記トレイを取り除くと、蓋４０でケース本体３０に閉じたとき、蓋４０とケース本体３０との間に開口６２が生ずる。開口６２は、格納ケース５０のケース本体３０と蓋４０に囲まれた内部空間に連通する。このため、ほこりが開口より内部空間に侵入し、何かをＣＤケース内に格納するとき、ほこりが付着し、その見栄えを悪くする。
【先行技術文献】
【特許文献】
【００１０】
【特許文献１】実開昭６３−１９２０９９号公報
【特許文献２】特開平１０−３５７５９号公報
【特許文献３】特開平１１−３１４６８４号公報
【考案の概要】
【考案が解決しようとする課題】
【００１１】
本考案の目的は、透明な格納ケースにおいてトレイを取り除いた後のケース本体と蓋とに囲まれた内部空間に連通する開口を閉鎖するための、格納ケースに着脱可能に取り付けられる封止体及び該封止体が取り付けられた格納ケースを提供することである。
【課題を解決するための手段】
【００１２】
本考案に係る格納ケースの封止体は、透明なケース本体と該ケース本体に枢動可能に連結された透明な蓋とからなる格納ケースに着脱可能に取り付けられる格納ケースの封止体であって、細長い平板部と該平板部の両側部に形成された側板部とからなる本体と、前記本体の各端部に形成され、該端部から突出する突出部とを含む。
【００１３】
本考案に係る格納ケースは、矩形の底板と該底板の相対する両側部の一方に形成された第１の側壁部および前記両側部の他方に形成された第２の側壁部とからなる透明なケース本体と、該ケース本体に枢動可能に連結され、矩形の上板部と前記上板部の前後方向に延びている、相対する両側部に形成された第３の側壁部とからなる透明な蓋と、前記ケース本体に着脱可能に取り付けられる封止体であって、細長い平板部と該平板部の両側部に形成された側板部とからなる本体と、前記本体の各端部に形成され、該端部から突出する突出部とを有する封止体とを含み、前記第３の側壁部は前記上板部の後端をこえて延びる端部と、該端部に形成された対向するピンとを有し、各第２の側壁部は後端に穴を有し、前記ピンは前記穴に嵌合され、前記封止体は、前記第３の側壁部の端部と、前記上板部の後端と、該後端に相対する前記第１の側壁部とから規定された開口に取り付けられている。
【考案の効果】
【００１４】
本考案によれば、封止体は、格納ケースの内部空間に連通する開口を閉塞するから、開口を経て内部空間にほこりを侵入させない。したがって、本考案の封止体を取り付けた格納ケースに作品を格納するとき、ほこりが付着せず、その見栄えが悪くなることはない。
【図面の簡単な説明】
【００１５】
【図１】本考案に係る封止体の実施例の斜視図。
【図２】本考案に係る格納ケースの実施例の斜視図。
【図３】図２における３−３線に沿って得た本考案に係る格納ケースの実施例の断面図。
【図４】本考案に係る格納ケースの使用例を示した斜視図。
【図５】本考案に係る格納ケースの使用例を示した斜視図。
【図６】本考案に係る格納ケースの使用例を示した斜視図。
【図７】本考案に係る封止体に表題シールを貼り付けた状態を示した斜視図。
【図８】ＣＤケースの斜視図。
【考案を実施するための形態】
【００１６】
図１に、本考案に係る封止体１０の好ましい実施例を示す。封止体１０は、細長い平板部１２と平板部１２の両側部に形成された側板部１４とから構成された本体１６を有する。本体１６は、該本体の各端部１８に形成され、該端部から突出する突出部２０を備える。
【００１７】
封止体１０は、樹脂材料から形成されている。封止体１０の材質は、金属、木、ゴムなどでもよい。
【００１８】
封止体１０は、単体で提供され、ＣＤを格納するためのトレイが取り除かれた既存のＣＤケースに取り付けられる。
【００１９】
封止体１０は、樹脂材料などの可撓性を有する材料で形成することにより、封止体１０の両端部の間で該封止体が反るように撓むことができる。これらの材料で形成された封止体１０は、前記ＣＤケースへ取り付けるとき、封止体１０を撓ませることにより前記ＣＤケースへの取付けを容易にすることができる。
【００２０】
図２に、本考案に係る格納ケース５０の好ましい実施例を示す。格納ケース５０は、透明なケース本体３０と、該ケース本体を開閉する透明な蓋４０と、ケース本体３０に着脱可能に取り付けられた封止体１０とを備える。
【００２１】
ケース本体３０は、矩形の底板３２と、該底板の相対する両側部の一方に形成された第１の側壁部３４および前記両側部の他方に形成された第２の側壁部３６とを備える。各第２の側壁部３６は、後端３７（図２における左方を前方、右方を後方とする。）に穴３８を有している。
【００２２】
蓋４０は、矩形の上板部４２と、該上板部の前後方向に延びる、相対する両側部に形成された第３の側壁部４４とを備える。各第３の側壁部４４は、上板部４２の後端４３を越えて延びる端部４６と、該端部に形成されたピン４８とを有している。蓋４０のピン４８は、ケース本体３０の穴３８に嵌合されている。
【００２３】
蓋４０でケース本体３０を閉じたとき、作品を格納するためにトレイを取り除いた格納ケース５０には、第３の側壁部４４の端部４６と、上板部４２の後端４３と、該後端と相対するケース本体３０の第１の側壁部３４とにより規定される開口６２が生ずる。開口６２は、ケース本体３０の後端３５に取り付けられる封止体１０により閉塞される。
【００２４】
格納ケース５０は、図３に示すように、ケース本体３０の底板３２と第１の側壁部３４とに接するように配置された封止体１０を備える。このように封止体１０を配置することにより、蓋４０でケース本体３０を閉じるとき、上板部４２は封止体１０に干渉しない。このため、格納ケース５０は、ケース本体３０に対する蓋４０の開閉を妨げることなく、封止体１０により開口６２を閉塞することができる。これにより、格納ケース５０は、その内部空間にほこりを侵入させることはなく、格納ケース５０に格納された作品にほこりが付着することはなく、その見栄えが悪くなることはない。
【００２５】
格納ケース５０は、既存のＣＤケースからトレイを取り除き、封止体１０を取り付けた状態で提供される。
【００２６】
図４ないし図６に示すように、格納ケース５０は、紙手工芸品、結婚式や特別な行事の招待状、メッセージカード、写真、絵画のような作品を格納することができる。
【００２７】
格納ケース５０は、図７に示すように、側板部１４に表題シール２２を貼り付けた封止体１０をケース本体３０の後方に向けて、表題シール２２が見えるように取り付けることができる。
【００２８】
また、格納ケース５０は、ケース本体３０の第１の側壁部３４と封止体１０の側板部１４との間に表題シール２２の代わりに表題等を書込んだ薄いプラスチック板を備えてもよい。
【符号の説明】
【００２９】
１０  封止体
１２  平板部
１４  側板部
１６  本体
１８、４６  端部
２０  突出部
３０  ケース本体
３２  底板
３４  第１の側壁部
３６  第２の側壁部
３５、３７、４３  後端
３８  穴
４０  蓋
４２  上板部
４４  第３の側壁部
４８  ピン
５０  格納ケース
６２  開口
【図１】
0003152386.tif 000003
【図２】
0003152386.tif 000004
【図３】
0003152386.tif 000005
【図４】
0003152386.tif 000006
【図５】
0003152386.tif 000007
【図６】
0003152386.tif 000008
【図７】
0003152386.tif 000009
【図８】
0003152386.tif 000010